(57)【要約】【課題】熟練性を必要とせず、長期間の装飾に向いている人工花茎を提供する。【解決手段】人工花茎１は、花茎２の挿入可能なる軟質樹脂による中空チューブ３と、該中空チューブ３内に封入されて該中空チューブ３の下端部３ａより水４を吸水可能なると共に前記花茎２に水気を与え得る吸水性部材５とより構成されてなる。【選択図】        図１
2005021238.tif 000002
【特許請求の範囲】
【請求項１】
花茎の挿入可能なる軟質樹脂による中空チューブと、該中空チューブ内に封入されて該中空チューブの下端部より水を吸水可能なると共に前記花茎に水気を与え得る吸水性部材とより構成されてなることを特徴とする人工花茎。
【請求項２】
請求項１に記載の人工花茎であって、
前記吸水性部材は、不織布よりなることを特徴とする人工花茎。
【請求項３】
請求項１に記載の人工花茎であって、
前記吸水性部材は、不織布と、該不織布を縫う金属芯材とよりなることを特徴とする人工花茎。
【請求項４】
請求項３に記載の人工花茎であって、
前記金属芯材は、鉄製の針金よりなることを特徴とする人工花茎。
【請求項５】
請求項３に記載の人工花茎であって、
前記金属芯材は、銅製の針金よりなることを特徴とする人工花茎。
【発明の詳細な説明】
【０００１】
【発明の属する技術分野】
この発明は、切り花を花瓶に挿す際の人工花茎に関する。
【０００２】
【従来の技術】
従来、人工花茎として切り花を花瓶に飾ったり、ファラワーアレンジなどに用いる場合の花茎の短い花は、花茎に針金を通して濡れティッシュで包み、フラワーテープで巻くような処理を行ったり、柄付きの給水キャップを用いた例がある（例えば、特許文献１参照。）。
【０００３】
【特許文献１】
特開２００１−５４４５４号公報
【０００４】
【発明が解決しようとする課題】
しかしながら、このような従来技術の人工花茎は、濡れティッシュで包むなど熟練を要し、給水キャップの場合もキャップ内の水しか利用できないため、長期間の装飾には不向きである。
【０００５】
この発明は、このような従来の技術に着目してなされたものであり、熟練性を必要とせず、長期間の装飾に向いている人工花茎を提供しようとするものである。
【０００６】
【課題を解決するための手段】
請求項１に記載の発明の人工花茎は、花茎の挿入可能なる軟質樹脂による中空チューブと、該中空チューブ内に封入されて該中空チューブの下端部より水を吸水可能なると共に前記花茎に水気を与え得る吸水性部材とより構成されてなることを特徴とする。
【０００７】
請求項１に記載の発明によれば、吸水性部材に充分水を含ませた上で中空チューブの上端部に花茎を挿入し、中空チューブの下端部を水を入れた水盤に挿すなどをするだけで、吸水性部材が水盤の中の水を中空チューブを介して花茎に導き続けるので、熟練性を必要とせず、長期間の装飾に向いている。
【０００８】
請求項２に記載の発明の人工花茎は、吸水性部材が不織布よりなることを特徴とする。
【０００９】
請求項２に記載の発明によれば、吸水性部材が不織布よりなるので、安価であり、腐りにくく長期間の使用に耐え得る。
【００１０】
請求項３に記載の発明の人工花茎は、吸水性部材が不織布と、該不織布を縫う金属芯材とよりなることを特徴とする。
【００１１】
請求項３に記載の発明によれば、吸水性部材が不織布よりなるので、安価であり、腐りにくく長期間の使用に耐え得るばかりか、金属芯材よりなるので、花弁が大きくて中空チューブが曲がるおそれがあっても、中空チューブの曲がりを防ぐことができるし、材料によっては殺菌性を有する。
【００１２】
請求項４に記載の発明の人工花茎は、金属芯材が鉄製の針金よりなることを特徴とする。
【００１３】
請求項４に記載の発明によれば、鉄製の針金よりなるので、花弁が大きくて中空チューブが曲がるおそれがあっても、中空チューブの曲がりを防ぐことができる。
【００１４】
請求項５に記載の発明の人工花茎は、金属芯材が銅製の針金よりなることを特徴とする。
【００１５】
請求項５に記載の発明によれば、銅製の針金よりなるので、花弁が大きくて中空チューブが曲がるおそれがあっても、中空チューブの曲がりを防ぐことができるし、殺菌性を有する。
【００１６】
【発明の実施の形態】
図１は、この発明の一実施形態にかかる人工花茎１を示している。
【００１７】
該人工花茎１は、上端部３ｂに花茎２の挿入可能なる軟質樹脂によるストローなどの中空チューブ３と、該中空チューブ３内に封入されて該中空チューブ３の下端部３ａより水４を吸水可能なると共に前記花茎２に水気を与え得る吸水性部材５とより構成されてなる。水盤８内には、剣山９が配設されてなり、該剣山９に中空チューブ３の下端部３ａが保持されてなる。前記中空チューブ３の内径は、直径５〜１０ミリメートルである。吸水性部材５の下端部５ａは、水盤８内の水４に触れている。中空チューブ３の上端部には、前記花茎２を除く部分を密封してなるキャップ３ｂにより覆ってなる。符号１１は、花弁である。中空チューブ３は、花茎２と同色でも良いし、別の色でも良いし、透明でも良い。同色であれば、中空チューブ３の存在感がなく、多く使用しても煩雑感を与えない。また、別の色であれば、花の色以外の多色になり、豪華感を与えることになる。また、透明であれば、花弁１１が目立ち装飾感が高まることになる。また、中空チューブ３の長さを多く変えることで、その植木の花弁１１の無い部位に花弁１１を咲かせることができ、総合的に豪華なものとすることができる。
【００１８】
前記吸水性部材５は、中空チューブ３内に充填されてなる不織布６と、該不織布６内に配設されてなる金属芯材７とよりなる。該金属芯材７としては、鉄製の針金或いは銅線の針金よりなる。
【００１９】
以上の構成よりなるから、吸水性部材５に充分水４を含ませた上で中空チューブ３の上端部に花茎２を挿入し、中空チューブ３の下端部３ａと不織布６とを水４を入れた水盤８に挿して剣山９に差し込むことにより、吸水性部材５の不織布６が水盤８の中の水４を中空チューブ３を介して花茎２に導き続けるので、熟練性を必要とせず、長期間の装飾に向いている。
【００２０】
吸水性部材５が不織布６よりなるので、安価であり、腐りにくく長期間の使用に耐え得るばかりか、不織布６を金属芯材７より支えてなるので、花弁１１が大きくて中空チューブ３が曲がるおそれがあっても、中空チューブ３の曲がりを金属芯材７が防ぐことができるし、金属芯材７の材料が銅線であれば、水４中に発生する真菌などを殺菌する殺菌性を有する。
【００２１】
前記実施形態は、水４を貯める器として水平方向に広く背の低い水盤８として説明したが、これに限定されるものではなく、水平方向に狭く背の高い花瓶でも良い。また、剣山９を中空チューブ３及び金属芯材７の保持具として説明したが、これに限定されるものではなく、花瓶そのもの或いは何か特別のものであっても良い。
【００２２】
【発明の効果】
以上説明したように、請求項１に記載の発明によれば、吸水性部材に充分水を含ませた上で中空チューブの上端部に花茎を挿入し、中空チューブの下端部を水を入れた水盤に挿すなどをするだけで、吸水性部材が水盤の中の水を中空チューブを介して花茎に導き続けるので、熟練性を必要とせず、長期間の装飾に向いている。
【００２３】
請求項２に記載の発明によれば、吸水性部材が不織布よりなるので、安価であり、腐りにくく長期間の使用に耐え得る。
【００２４】
請求項３に記載の発明によれば、吸水性部材が不織布よりなるので、安価であり、腐りにくく長期間の使用に耐え得るばかりか、金属芯材よりなるので、花弁が大きくて中空チューブが曲がるおそれがあっても、中空チューブの曲がりを防ぐことができるし、材料によっては殺菌性を有する。
【００２５】
請求項４に記載の発明によれば、鉄製の針金よりなるので、花弁が大きくて中空チューブが曲がるおそれがあっても、中空チューブの曲がりを防ぐことができる。
【００２６】
請求項５に記載の発明によれば、銅製の針金よりなるので、花弁が大きくて中空チューブが曲がるおそれがあっても、中空チューブの曲がりを防ぐことができるし、殺菌性を有する。
【図面の簡単な説明】
【図１】この発明の一実施形態に係る人工花茎の断面図。
【符号の説明】
１  人工花茎
２  花茎
３  中空チューブ
３ａ  中空チューブの下端部
３ｂ  中空チューブの上端部
４  水
５  吸水性部材
６  不織布
７  金属芯材
８  水盤
９  剣山
【図１】
2005021238.tif 000003